【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
専用統合符号化トランスポートチャネル（ＣＣＴｒＣＨ）の送信において使用する専用送信形式の組み合わせ（ＴＦＣ）及び拡張専用チャネル（Ｅ−ＤＣＨ）を介したＥＵデータの送信において使用する拡張上り回線（ＥＵ）ＴＦＣを選択する無線送信／受信装置（ＷＴＲＵ）の利用方法であって、
最大許容ＷＴＲＵ送信電力に基づく超過電力状態内にある専用ＴＦＣを少なくとも除外することによって、専用ＣＣＴｒＣＨの利用可能な専用ＴＦＣを決定するステップと、
前記利用可能な専用ＴＦＣに基づく前記専用ＣＣＴｒＣＨ用の専用ＴＦＣを選択するステップと、
前記専用ＴＦＣ選択後に残ったＷＴＲＵ送信電力に基づき、前記最大許容ＷＴＲＵ送信電力より多くの送信用電力を要求するＥＵ  ＴＦＣを少なくとも除外することによって前記ＥＵデータ用のＥＵ  ＴＦＣを選択するステップと
を有することを特徴とする方法。
【請求項２】
前記ＥＵデータ用の少なくとも１つのＥＵ  ＴＦＣを留保するステップをさらに有し、前記ＥＵデータ用のＥＵ  ＴＦＣが、前記利用可能なＥＵ  ＴＦＣ又は留保された少なくとも１つの前記ＥＵ  ＴＦＣから選択されることを特徴とする請求項１に記載の方法。
【請求項３】
少なくとも１つのＥＵ  ＴＦＣを留保する前記ステップが、少なくとも１つのＥＵ  ＴＦＣの最小セットを留保するステップであって、前記最大許容ＷＴＲＵ送信電力が、前記最小セットから前記ＥＵ  ＴＦＣを選択した結果として超過した場合、前記ＷＴＲＵが存在する全物理チャネル用の送信電力を抑制することを特徴とする請求項２に記載の方法。
【請求項４】
前記ＥＵ  ＴＦＣの送信用電力が前記最大許容ＷＴＲＵを超えたときも、前記最小セットが送信されることを許可されたＥＵ  ＴＦＣを含むことを特徴とする請求項３に記載の方法。
【請求項５】
留保された前記ＥＵ  ＴＦＣがデータ転送速度を保証するＥＵ  ＴＦＣを含むことを特徴とする請求項２に記載の方法。
【請求項６】
前記最大許容ＷＴＲＵ送信電力が無線通信システムによって設定されることを特徴とする請求項１に記載の方法。
【請求項７】
前記最大許容ＷＴＲＵ送信電力が前記ＷＴＲＵの最大送信電力であることを特徴とする請求項１に記載の方法。
【請求項８】
留保された前記ＥＵ  ＴＦＣは、留保された前記ＥＵ  ＴＦＣが基本的なサービスを維持する前記ＥＵデータにおいて最低転送速度を留保するように抽出されることを特徴とする請求項２に記載の方法。
【請求項９】
留保された前記ＥＵ  ＴＦＣは、留保された前記ＥＵ  ＴＦＣが論理チャネル毎に最低転送速度を留保するように抽出されることを特徴とする請求項５に記載の方法。
【請求項１０】
留保された前記ＥＵ  ＴＦＣは、留保された前記ＥＵ  ＴＦＣがＭＡＣ−ｄフロー毎に最低転送速度を留保するように抽出されることを特徴とする請求項５に記載の方法。
【請求項１１】
留保された前記ＥＵ  ＴＦＣは、留保された前記ＥＵ  ＴＦＣがチャネル当り１つの伝送ブロックの送信を許可するように抽出されることを特徴とする請求項２に記載の方法。
【請求項１２】
留保された前記ＥＵ  ＴＦＣは、留保された前記ＥＵ  ＴＦＣが、送信時間間隔毎の多数の伝送ブロックであって、保証転送速度に対応する前記多数の伝送ブロックを許可するように抽出されることを特徴とする請求項２に記載の方法。
【請求項１３】
留保された前記ＥＵ  ＴＦＣは、留保された前記ＥＵ  ＴＦＣが、前記Ｅ−ＤＣＨにマップされたチャネルにおいて最低保証転送速度を許可するように抽出されることを特徴とする請求項２に記載の方法。
【請求項１４】
専用統合符号化トランスポートチャネル（ＣＣＴｒＣＨ）の送信において使用する専用送信形式の組み合わせ（ＴＦＣ）及び拡張専用チャネル（Ｅ−ＤＣＨ）を介したＥＵデータの送信において使用する拡張上り回線（ＥＵ）ＴＦＣを選択する無線送信／受信装置（ＷＴＲＵ）であって、
ＷＴＲＵ送信電力が許容する最大値に基づく超過電力内にある専用ＴＦＣを少なくとも除外することによって、専用ＣＣＴｒＣＨの利用可能な専用ＴＦＣを決定する手段と、
前記利用可能な専用ＴＦＣに基づく前記専用ＣＣＴｒＣＨ用の専用ＴＦＣを選択する手段と、
前記専用ＴＦＣ選択後に残ったＷＴＲＵ送信電力に基づき、前記最大許容ＷＴＲＵ送信電力よりも多くの送信用電力を要求するＥＵ  ＴＦＣを少なくとも除外することによって前記ＥＵデータ用のＥＵ  ＴＦＣを選択する手段と
を備えたことを特徴とするＷＴＲＵ。
【請求項１５】
前記ＥＵデータ用の少なくとも１つのＥＵ  ＴＦＣを留保することをさらに備え、前記ＥＵデータ用のＥＵ  ＴＦＣが、前記利用可能なＥＵ  ＴＦＣ又は留保された少なくとも１つの前記ＥＵ  ＴＦＣから選択されることを特徴とする請求項１４に記載のＷＴＲＵ。
【請求項１６】
少なくとも１つのＥＵ  ＴＦＣの留保が、少なくとも１つのＥＵ  ＴＦＣの最小セットを留保し、前記最大許容ＷＴＲＵ送信電力が、前記最小セットから前記ＥＵ  ＴＦＣを選択した結果として超過した場合、前記ＷＴＲＵが存在する全物理チャネル用の送信電力を抑制することを特徴とする請求項１５に記載のＷＴＲＵ。
【請求項１７】
前記ＥＵ  ＴＦＣの送信用電力が前記最大許容ＷＴＲＵを超えたときも、前記最小セットが送信されることを許可されたＥＵ  ＴＦＣを含むことを特徴とする請求項１６に記載のＷＴＲＵ。
【請求項１８】
留保された前記ＥＵ  ＴＦＣがデータ転送速度を保証するＥＵ  ＴＦＣを含むことを特徴とする請求項１５に記載のＷＴＲＵ。
【請求項１９】
前記最大許容ＷＴＲＵ送信電力が無線通信システムによって設定されることを特徴とする請求項１４に記載のＷＴＲＵ。
【請求項２０】
前記最大許容ＷＴＲＵ送信電力が前記ＷＴＲＵの最大送信電力であることを特徴とする請求項１４に記載のＷＴＲＵ。
【請求項２１】
留保された前記ＥＵ  ＴＦＣは、留保された前記ＥＵ  ＴＦＣが基本的なサービスを維持する前記ＥＵデータにおいて最低転送速度を留保するように抽出されることを特徴とする請求項１５に記載のＷＴＲＵ。
【請求項２２】
留保された前記ＥＵ  ＴＦＣは、留保された前記ＥＵ  ＴＦＣが論理チャネル毎に最低転送速度を留保するように抽出されることを特徴とする請求項１８に記載のＷＴＲＵ。
【請求項２３】
留保された前記ＥＵ  ＴＦＣは、留保された前記ＥＵ  ＴＦＣがＭＡＣ−ｄフロー毎に最低転送速度を留保するように抽出されることを特徴とする請求項１８に記載のＷＴＲＵ。
【請求項２４】
留保された前記ＥＵ  ＴＦＣは、留保された前記ＥＵ  ＴＦＣがチャネル当り１つの伝送ブロックの送信を許可するように抽出されることを特徴とする請求項１５に記載のＷＴＲＵ。
【請求項２５】
留保された前記ＥＵ  ＴＦＣは、留保された前記ＥＵ  ＴＦＣが、送信時間間隔毎の多数の伝送ブロックであって、保証転送速度に対応する前記多数の伝送ブロックを許可するように抽出されることを特徴とする請求項１５に記載のＷＴＲＵ。
【請求項２６】
留保された前記ＥＵ  ＴＦＣは、留保された前記ＥＵ  ＴＦＣが、前記Ｅ−ＤＣＨにマップされたチャネルにおいて最低保証転送速度を許可するように抽出されることを特徴とする請求項１５に記載のＷＴＲＵ。
【請求項２７】
前記残ったＷＴＲＵ送信電力は、前記最大許容ＷＴＲＵ送信電力から控除された前記選択された専用ＴＦＣ用に要求される電力に基づき決定されることを特徴とする請求項１に記載の方法。
【請求項２８】
前記残ったＷＴＲＵ送信電力は、前記最大許容ＷＴＲＵ送信電力から控除された前記選択された専用ＴＦＣ用に要求される電力に基づき決定されることを特徴とする請求項１４に記載のＷＴＲＵ。